(57)【要約】  【課題】  電柱に対し強固に設けることができ、しかも、電柱を四方から挟むものであるから締付け状態が安定し、従って、耐久的な腕金装置を得ることができる。また、従前のようにバンド片を用いず部材同士をボルトでの締付けで足りるからバンド片の電柱に対する適合を必要としない設置効率上優れた電柱用腕金装置を提供する。  【解決手段】  互いに直交方向に連続する組付け部片１０と緊締受部片１１で装置基枠９を構成し、一対の該装置基枠の前記組付け部片１０と、該組付け部片１０，１０間に介在させ、しかも、断面円弧状の凹入部７とした基端面を電柱Ｄ周側面に係合させた、腕金１の基部を、少なくとも上下一対の組付けボルト４とこれに螺合した組付けナット８で接続する。また、前記装置基枠９の、各緊締受部片１１と、該緊締受部片１１に前記電柱Ｄを介して相対する挟持杆１４の端部を、緊締ボルト１５とこれに螺合した緊締ナット１５で締付ける。【選択図】    図１
2014171358.tif 000002
【特許請求の範囲】
【請求項１】
互いに直交方向に連続する組付け部片と緊締受部片で装置基枠を構成し、一対の該装置基枠の前記組付け部片と、該組付け部片間に介在させ、しかも、断面円弧状の凹入部とした基端面を電柱周側面に係合させた、腕金の基部を、組付けボルトとこれに螺合した組付けナットで接続すると共に、前記装置基枠の、各緊締受部片と、該緊締受部片に前記電柱を介して相対する挟持杆の端部を、緊締ボルトとこれに螺合した緊締ナットで締付けた、電柱用腕金装置。
【請求項２】
腕金を角筒状の主体杆と、該主体杆の基端部の側面に側部片を溶接した断面溝状の基部枠で成り、該基部枠を、腕金の基端面を構成する中央部片と該中央部片の両端に相対設した前記側部片で構成し、側部片には組付けボルトを貫通させる透孔を設けた、請求項１記載の電柱用腕金装置。
【請求項３】
挟持杆を、緊締ボルトを貫通させる透孔を長手方向の端部に設けた中央部片と該中央部片の上下両端に相対設した上下一対の部片で構成し、上下部片の自由端側の長手方向の中央部には、電柱を係合させる切欠を設けた、請求項１乃至２の内いずれか記載の電柱用腕金装置。
【請求項４】
緊締受部片に挟持杆を緊締ボルトと緊締ナットで締付けた、請求項１乃至３の内いずれかに記載の電柱用腕金装置。
【請求項５】
装置基枠を構成する組付け部片と緊締受部片との間に、各々の相対する面側において上下に適宜数の板状部片を渡した、請求項１乃至４の内いずれか記載の電柱用腕金装置。
【発明の詳細な説明】
【技術分野】
【０００１】
本発明は、機器を装柱するに際し、該機器の支持材として、電柱（必ずしも電柱と称するものでなくとも良く、例えば、専ら街灯設置のための支柱であってもこれに含まれる）に片持ち梁状に突出させて設ける電柱用腕金装置に関するものである。
【背景技術】
【０００２】
接続ボルトと接続ナットで一端を接続した一対二組の第一、第二バンド片を電柱に巻回し、各第一バンド片の他端同士を緊締ボルトと緊締ナットで互いに締付けると共に、前記各第二バンド片の他端に連結ボルトで挟持枠を連結し、該挟持枠と挟持枠間に介在させた腕金の基部を組付けボルトで互いに組付けた構造のものがある（特許文献１）。
【先行技術文献】
【特許文献】
【０００３】
【特許文献１】特開２００２−２１８６３６号公報
【発明の概要】
【発明が解決しようとする課題】
【０００４】
前記従来例は、鋼材より成るバンド片を電柱に適合させて装柱するためその作業が煩雑であり、また、腕金の一定の高さ位置の保持のためにはバンド片の電柱周面に対する接触抵抗を利用する構成を採り、該接触抵抗は緊締ボルトと緊締ナットによる締付けで得、それはボルトの締め忘れや震動等による緊締ナットの緩みで影響を受け易い。
【０００５】
本発明は、従来例の斯様な問題点に着目し、所謂バンド片を用いないで腕金を一定の高さ位置で保持することのできる電柱用腕金装置を提供すべく創案したものである。
【課題を解決するための手段】
【０００６】
互いに直交方向に連続する組付け部片と緊締受部片で装置基枠を構成し、一対の該装置基枠の前記組付け部片と、該組付け部片間に介在させ、しかも、断面円弧状の凹入部とした基端面を電柱周側面に係合させた、腕金の基部を、組付けボルトとこれに螺合した組付けナットで接続すると共に、前記装置基枠の各緊締受部片と、該緊締受部片に前記電柱を介して相対する挟持杆の端部を、緊締ボルトとこれに螺合した緊締ナットで締付けたことを基本的手段とする。
【０００７】
この基本的手段に、腕金を角筒状の主体杆と該主体杆の基端部の側面に断面溝状の側部片を溶接した断面溝状の基部枠で成り、該基部枠を、腕金の基端面を構成する中央部片と該中央部片の両端に相対設した前記側部片で構成し、側部片には組付けボルトを貫通させる透孔を設けた点を付加することにより、腕金を電柱に対し片持ち梁状に強固に設けることができ、なおまた、挟持杆を、緊締ボルトを貫通させる透孔を長手方向の端部に設けた中央部片と該中央部片の上下両端に相対設した上下一対の部片で構成し、上下部片の自由端側の長手方向の中央部には、電柱を係合させる切欠を設けた点を付加することにより、装置基枠と挟持杆による電柱の挟持が確実に行われ、従って、電柱上の定位置を確実に維持する腕金装置を提供できる。そしてまた、緊締受部片に挟持杆を緊締ボルトと緊締ナットで締付けるようにすれば、尚一層強固な腕金装置を得られ、装置基枠を構成する組付け部片と緊締受部片との間に、各々の相対する面側において上下に適宜数の板状部片を渡した構成を付加することにより容易に変形のしにくい腕金装置を得られる。
【発明の効果】
【０００８】
本発明によれば、装置基枠の、互いに直交方向に配した組付け部片と緊締受部片を用いて組付け部片同士を組付けボルトで、緊締受部片を挟持杆を緊締ボルトでそれぞれ締付け電柱を挟む構成を採るものであるから、電柱に対し強固に設けることができ、しかも、電柱を四方から挟むものであるから締付け状態が安定し、従って、耐久的な腕金装置を得ることができる。また、従前のように柱径に応じたバンド片を用意する必要がなく、バンド片を用いないで、部材同士をボルトによる締付けで足りるから、バンド片の電柱に対する適合を必要としない設置効率上優れた電柱用腕金装置を提供できる。
【図面の簡単な説明】
【０００９】
【図１】平面図。
【図２】側面図。
【図３】腕金の平面図。
【図４】腕金の側面図。
【図５】電柱の径に対応できることを示す平面図。
【発明を実施するための形態】
【００１０】
図面は、本発明に係る電柱用腕金装置の一実施形態を示し、実施形態のものは、主体杆２と基部枠３で構成する腕金１と一対の装置基枠９を組付けボルト４と組付けナット８で地上に於いて互いに組付け、柱上に於いて前記の組付け体と挟持杆１４，１４を電柱Ｄを介して相対向させ、相対向するこれらに緊締ボルト１３を貫通させ、挟持杆１４（の中央部片１４ａ）より突出するボルト１３先端に螺合した緊締ナット１５を締め付けることにより得るものであるが、各部材の組付けの順序はこれに従う必要がない。
【００１１】
また、実施形態のものは電柱Ｄに片持ち梁状に突設した腕金１の中間部にピコセルアンテナａを取付け装置ｍで取付けるようにした、すなわち、ピコセルアンテナａを電柱（支柱）Ｄに支持させるための腕金装置を示すが、機器を装柱するためのものであればよく、装柱機器はピコセルアンテナａに限定する必要はない。
【００１２】
前記腕金１は、角筒状の主体杆２と、縦方向に長い中央部片３ａの両側に側部片３ｂ，３ｂを相対して設けた断面溝状の基部枠３で成り、主体杆２の基部の相対する側面に、側部片３ｂの自由端側先端部を外側から重ね合わせて溶接して、主体杆２と基部枠３を一体にして構成したものである。
【００１３】
この腕金１の基部枠３の前記側部片３ｂには、組付けボルト４を挿通する、上下の透孔５，６を設け、腕金１の基端面を構成する前記中央部片３ａを円弧状に曲げてその外側面を、電柱Ｄの周側が係合する断面円弧状の凹入部７と成し、また、主体杆２の先端部側の中間部には、前記組付け装置ｍの部材を取付けるボルトｍｂを挿通する透孔５Ａ，６Ａを主体杆２の先後に並べて設けてある。
【００１４】
なお、主体杆２の基端と基部枠３の中央部片３ａとの間に間隙ｖを設けて、すなわち、基部枠３の側部片３ｂに主体杆２と重ならない部分を設けたのは、該部分に前記透孔５，６を設けて該重ならない部分同士を前記組付けボルト４と組付けナット８で締付けたとき、ばね作用させて、組付けナット８（若しくは組付けボルト４）の緩みを防ぎ、安定した組付け状態を得るためである。また、組付けボルト４（これに対応する透孔６）は単一でも良い。
【００１５】
腕金１は、基部側の前記基部枠３部が一対の装置基枠９，９間に介在されて前記組付けボルト４と組付けナット８で締付けられることにより装置基枠９，９と組付けてある。
【００１６】
装置基枠９は、縦長方形状の組付け部片１０と、該組付け部片１０と同形の縦長方形状の緊締受部片１１を互いに直交方向に連続させ、該組付け部片１０と緊締受部片１１との間に、各々の相対する面側において３枚の板状の補強部片１２，１２，１２を上下に並べて渡して設けると共に、各部片１０，１１の、該板状の補強部片１２，１２間の部分には、組付け部片１０にあっては前記組付けボルト４を挿通させる透孔５Ｂ，６Ｂを上下に、緊締受部片１１にあっては緊締ボルト１３を挿通させる上下の透孔５Ｃ，６Ｃをそれぞれ設けて構成したものである。
【００１７】
前記の通り、腕金１の基部（基部枠３）は組付けボルト４を組付けナット８により、一対の装置基枠９，９間に介在されて、該装置基枠９，９に組付けられるのであるが、装置基枠９の組付け部片１０，１０間に基部枠３は配せられ、互いに一致する装置基枠９側の透孔５Ｂ，６Ｂと基部枠３側の透孔５，６に前記組付けボルト４を挿通させ、一方の装置基枠９の組付け部片１０より突出する組付けボルト４のそれぞれの先端に組付けナット８を螺合締付けることにより腕金１と一対装置基枠９，９は互いに組付けられ、この組付け作業は、作業性と安全性の観点から地上で行うのが望ましい。
【００１８】
そして、装置基枠９の緊締受部片１１に設けた上下の各透孔５Ｃ，６Ｃに前記緊締ボルト１３を挿通させるようにして、該緊締ボルト１３を腕金１と組付けた装置基枠９に組合わせ、該緊締ボルト１３の先端を、前記腕金１の基端面に設けた凹入部７に係合させた前記柱Ｄより装置基枠９乃至腕金１から見て前方に突出させて、上方に位置する一対の緊締ボルト１３，１３を挟持杆１４に、下方に位置する他の一対の緊締ボルト１３，１３を他の挟持杆１４に挿通させ、挟持杆１４より突出する各緊締ボルト１３に緊締ナット１５を螺合、締付けることにより実施形態の装置としたものである。
【００１９】
緊締ボルト１３は、装置基枠９の組付け部片１０と緊締受部片１１の方向関係（互いに直交する方向）から、組付けボルト４に対して直交する方向に位置され、この結果、緊締ナット１５で電柱Ｄ方向に押圧される挟持杆１４は、平行な位置関係にある２本の緊締ボルト１３，１３に沿って移動しようとし、緊締ナット１５による締付けは強固に行われる（実施形態は、図５で示す通り、この作用を利用して径の異なる電柱に対応できるようにしてある）。
【００２０】
なお、挟持杆１４は、前記緊締ボルト１３を挿通させる透孔５Ｄ，６Ｄを両側端の対称位置に設けた、横長帯状の中央部片１４ａと、該中央部片１４ａの長手方向に沿う上下両端に折り曲げ状にして設けた上下一対の部片１４ｂ，１４ｃとで成る断面コ形体で成り、上下の部片１４ｂ，１４ｃの長手方向の中央には前記電柱Ｄを係合させる、互いに同形な（方形状の）切欠１６，１６を設けて構成したもので、一方側が前記凹入部７に係合する電柱Ｄの、該一方側に相対する他方側は、切欠１６，１６（必ずしも「方形状」の必要はなく、断面円弧状でも良い）に係合して電柱Ｄに対する装置全体の取付けが安定的に行われる。
【００２１】
なお、実施形態は上下一対の挟持杆１４を用いるようにしているが、これは、それぞれの挟持杆１４が他と独立して緊締ナット１５の締付けにより電柱Ｄに圧接することになり、電柱Ｄの周側面が傾斜していても（通常、僅かに先細状になっている）それを吸収して各挟持杆１４が挟持力を保持することを期待できるからである。挟持杆１４を単一にした装置でも不都合はない。
【００２２】
また、実施形態は、電柱Ｄの一側を断面円弧状の凹入部７（曲面が電柱Ｄに圧接）に該一側に相対する他側を方形状の切欠１６（開口端側の両端が電柱Ｄに圧接）にそれぞれ係合するようにしてあるが、これは、３点で電柱Ｄを挟持することになり、腕金の強固な取付け状態を得られることを意図している。
【符号の説明】
【００２３】
１      腕金
４      組付けボルト
７      凹入部
８      組付けナット
９      装置基枠
１０    組付け部片
１１    緊締受部片
１４    挟持杆
１５    緊締ナット
【図１】
2014171358.tif 000003
【図２】
2014171358.tif 000004
【図３】
2014171358.tif 000005
【図４】
2014171358.tif 000006
【図５】
2014171358.tif 000007